【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
メモリデバイスであって、
データブロック形式でデータを記憶するように適合された不揮発性のコンピュータ読み取り可能な記録媒体と、
前記不揮発性のコンピュータ読み取り可能な記録媒体に動作可能に結合され、前記メモリデバイスの外部にある外部ＮＦＣ受信機に無線によりデータを送信するように適合されたＮＦＣ無線送信機を備えるＮＦＣ無線トランスポンダと、
タグメモリ形式でデータを記憶するように適合された不揮発性のＮＦＣタグメモリであって、前記タグメモリ形式は、前記データブロック形式と互換性のないものであるＮＦＣタグメモリと、
データ入力デバイスと、
前記不揮発性のコンピュータ読み取り可能な記録媒体、前記ＮＦＣ送信機、前記不揮発性のＮＦＣタグメモリ、及び前記データ入力デバイスに動作可能に結合されたコントローラと
を備え、
前記ＮＦＣ無線トランスポンダは、前記データブロック形式で記憶されたデータを前記タグメモリ形式に変換するように適合され、かつ、受信したデータを前記タグメモリ形式から前記データブロック形式に変換するように適合されていることを特徴とするメモリデバイス。
【請求項２】
前記コントローラは、ＵＳＢインタフェースを備え、
前記メモリデバイスは、前記ＵＳＢインタフェースに動作可能に結合されたＵＳＢコネクタをさらに備えることを特徴とする請求項１に記載のメモリデバイス。
【請求項３】
前記ＮＦＣ無線トランスポンダは、前記コントローラに動作可能に結合され、前記メモリデバイスの外部にある外部ＮＦＣ送信機から無線によりデータを受信するように適合されたＮＦＣ受信機をさらに備えることを特徴とする請求項１に記載のメモリデバイス。
【請求項４】
前記ＮＦＣ受信機は、受信したデータを、前記データブロック形式および前記タグメモリ形式からなる群の少なくとも１つに変換するように適合されていることを特徴とする請求項３に記載のメモリデバイス。
【請求項５】
前記不揮発性のコンピュータ読み取り可能な記録媒体は、パブリックパーティションおよびプライベートパーティションをさらに備え、
前記メモリデバイスは、少なくとも１つのクレデンシャルを受信するため及び前記クレデンシャルが認証された場合に前記プライベートパーティションへのアクセスを許可するための判定コンポーネントをさらに備えることを特徴とする請求項１に記載のメモリデバイス。
【請求項６】
前記ＮＦＣ無線送信機は、変換されたデータを前記外部ＮＦＣ受信機に無線により送信するように適合されていることを特徴とする請求項１に記載のメモリデバイス。
【請求項７】
前記ＮＦＣ送信機は、前記外部ＮＦＣ受信機にネットワーク設定を無線により送信するように適合されていることを特徴とする請求項１に記載のメモリデバイス。
【請求項８】
データが前記ＮＦＣタグメモリに記憶され、
前記メモリデバイスは、少なくとも１つのクレデンシャルを受信するように適合され、正当なクレデンシャルに応答して記憶された前記データの少なくとも一部分にアクセスを提供するようにさらに適合されている判定コンポーネントをさらに備えることを特徴とする請求項１に記載のメモリデバイス。
【請求項９】
前記ＮＦＣ送信機は、前記データ入力デバイスを介して受信するユーザ入力に応答して、前記外部ＮＦＣ受信機に無線によりデータを送信するように適合されていることを特徴とする請求項１に記載のメモリデバイス。
【請求項１０】
第１のデバイスと第２のデバイスとの間で無線ネットワーク設定を通信する方法であって、
コントローラ、不揮発性のコンピュータ読み取り可能な記録媒体、ＮＦＣトランスポンダ、およびタグメモリ形式でデータを記憶するように適合された不揮発性のＮＦＣタグメモリを備えるＵＳＢデバイスを設けるステップであって、前記タグメモリ形式は、前記不揮発性のコンピュータ読み取り可能な記録媒体にデータを記憶するのに使用される形式と互換性のないものであるステップと、
前記ＵＳＢデバイスと前記ＵＳＢデバイスの外部にある第１のデバイスとの間の通信を確立するステップと、
前記第１のデバイスから無線ネットワーク設定を受信するステップと、
前記不揮発性のコンピュータ読み取り記録可能な媒体に前記無線ネットワーク設定を記憶するステップと、
ＮＦＣ受信機を備える第２のデバイスとの間の通信を確立するステップと、
前記不揮発性のコンピュータ読み取り可能な記録媒体の形式から前記タグメモリ形式に前記無線ネットワーク設定を変換するステップと、
前記第２のデバイスに前記無線ネットワーク設定を無線により送信するステップと
を含むことを特徴とする方法。
【請求項１１】
前記第１のデバイスから無線ネットワーク設定を受信するステップは、前記第１のデバイスからＸＭＬデータ形式で無線ネットワーク設定を受信するステップを含み、
前記不揮発性のコンピュータ読み取り可能な記録媒体に前記無線ネットワーク設定を記憶するステップは、前記不揮発性のコンピュータ読み取り可能な記録媒体に前記無線ネットワーク設定を前記ＸＭＬ形式で記憶するステップを含み、
前記前記無線ネットワーク設定を変換するステップは、前記無線ネットワーク設定を前記ＸＭＬ形式からバイナリ形式に変換するステップを含み、
前記第２のデバイスに前記無線ネットワーク設定を無線により送信するステップは、前記第２のデバイスにバイナリ形式に変換された前記無線ネットワーク設定を無線により送信するステップを含むことを特徴とする請求項１０に記載の方法。
【請求項１２】
前記不揮発性のコンピュータ読み取り可能な記録媒体の容量を判定するステップと、
前記不揮発性のコンピュータ読み取り可能な記録媒体の前記容量に基づいて前記無線ネットワーク設定を編集するステップと
をさらに含むことを特徴とする請求項１０に記載の方法。
【請求項１３】
前記不揮発性のコンピュータ読み取り可能な記録媒体の容量を判定するステップと、
前記無線ネットワーク設定を前記第２のデバイスに無線により送信した後に、前記不揮発性のコンピュータ読み取り可能な記録媒体の前記容量に基づいて、前記不揮発性のコンピュータ読み取り可能な記録媒体から前記無線ネットワーク設定を削除するステップと
をさらに含むことを特徴とする請求項１０に記載の方法。
【請求項１４】
前記第１のデバイスから無線ネットワーク設定を受信するステップは、前記第１のデバイスから、前記コントローラに動作可能に結合されたＵＳＢコネクタを介して無線ネットワーク設定を受信するステップを含むことを特徴とする請求項１０に記載の方法。
【請求項１５】
前記第２のデバイスに前記無線ネットワーク設定を適用するステップと、
前記無線ネットワーク設定に基づいて、無線ネットワークとの無線通信を確立するステップと
をさらに含むことを特徴とする請求項１０に記載の方法。
【請求項１６】
ＵＳＢフラッシュドライブであって、
ＵＳＢインタフェース、不揮発性のコンピュータ読み取り可能な記録媒体、およびＮＦＣタグインタフェースを備えるコントローラと、
データブロック形式でデータを記憶するように適合された不揮発性のコンピュータ読み取り可能な記録媒体と、
前記不揮発性のコンピュータ読み取り可能な記録媒体に、動作可能に接続され、前記ＵＳＢフラッシュドライブの外部にある外部ＮＦＣデバイスに、無線によりデータを送信するように適合されたＮＦＣ無線トランスポンダと、
前記データブロック形式と互換性のないタグメモリ形式でデータを記憶するように適合された不揮発性のＮＦＣタグメモリと、
複数のデータ入力デバイスであって、各データ入力デバイスは、前記不揮発性のコンピュータ読み取り可能な記録媒体および前記不揮発性のＮＦＣタグメモリからなる群の少なくとも１つに記憶されたデータコンポーネントと関連付けられているデータ入力デバイスと
を備え、
前記ＮＦＣ無線トランスポンダは、前記データブロック形式で記憶されたデータを前記タグメモリ形式に変換するように適合され、かつ、受信したデータを前記タグメモリ形式から前記データブロック形式に変換するように適合されていることを特徴とするＵＳＢフラッシュドライブ。
【請求項１７】
前記ＮＦＣ無線トランスポンダは、データコンポーネントを、前記データコンポーネントと関連付けられている前記データ入力デバイスを介して受信したユーザ入力に応答して、前記外部ＮＦＣデバイスに無線により送信するように適合されていることを特徴とする請求項１６に記載のＵＳＢフラッシュドライブ。
【請求項１８】
前記ＮＦＣ無線トランスポンダは、データコンポーネントを、前記外部ＮＦＣデバイスから無線により受信するように適合され、
前記ＮＦＣ無線トランスポンダは、前記データコンポーネントを、前記不揮発性のコンピュータ読み取り可能な記録媒体および前記ＮＦＣメモリからなる群の少なくとも１つに記憶するように適合され、
前記ＮＦＣ無線トランスポンダは、前記データコンポーネントを、前記複数のデータ入力デバイスの少なくとも１つと関連付けるように適合されていることを特徴とする請求項１６に記載のＵＳＢフラッシュドライブ。
【請求項１９】
前記ＮＦＣトランスポンダおよび前記ＮＦＣタグメモリが、ＲＦＩＤタグを構成することを特徴とする請求項１６に記載のＵＳＢフラッシュドライブ。
【請求項２０】
前記不揮発性のコンピュータ読み取り可能な記録媒体は、フラッシュメモリを備えることを特徴とする請求項１６に記載のＵＳＢフラッシュドライブ。